(57)【要約】【課題】携帯端末等の機種によらず簡単にかつ素早くかつ確実に表示面の汚れを除去する。【解決手段】携帯端末等の表示面に接触させられる薄型布状の拭き取り部２と、拭き取り部が裏面側に取り付けられた取付部と、取付部に付設され拭き取り部を表示面に接触させつつ取付部が表示面に沿って直線的に移動するように案内する移動案内部とを備えた。取付部及び移動案内部が表示面が形成された部分に巻き付けられる帯状部材１からなるか、その端末部付近には表示面が形成された部分の外周形状に応じて帯状部材の巻付径を調整可能に結束する結束部が形成されるか、表示面が形成された部分に巻き付けた際に結束部が携帯端末等の外表面に接触しない構造を有するか、帯状部材の途中に表示部が形成された部分に巻き付けた際に部分の外周形状に応じて伸縮する伸縮部が形成されるか、帯状部材が無端帯状でありその途中に伸縮部が形成されている。【選択図】        図３
2004364066.tif 000002
【特許請求の範囲】
【請求項１】
携帯端末等の表示面に接触させられる薄型布状の拭き取り部と、当該拭き取り部が裏面側に取り付けられた取付部と、当該取付部に付設され前記拭き取り部を前記表示面に接触させつつ前記取付部を当該表示面に沿って直線的に移動して案内する移動案内部とを備えたことを特徴とする携帯端末等の表示面清掃装置。
【請求項２】
前記取付部及び前記移動案内部が前記携帯端末等において表示面が形成された部分に巻き付けられる帯状部材からなることを特徴とする請求項１記載の携帯端末等の表示面清掃装置。
【請求項３】
前記帯状部材の端末部付近には前記携帯端末等において表示面が形成された部分の太さなどの外周形状に応じて前記帯状部材の巻付径を調整可能に結束する結束部が形成されていることを特徴とする請求項２記載の携帯端末等の表示面清掃装置。
【請求項４】
前記帯状部材を前記携帯端末等において表示面が形成された部分に巻き付けた際に前記結束部が前記携帯端末等の外表面に接触しない構造を有していることを特徴とする請求項３記載の携帯端末等の表示面清掃装置。
【請求項５】
前記携帯端末等において表示部が形成された部分に巻き付けた際に当該部分の太さなどの外周形状に応じて伸縮する伸縮部が前記帯状部材の途中に形成されていることを特徴とする請求項２記載の携帯端末等の表示面清掃装置。
【請求項６】
前記帯状部材が無端帯状であり、当該帯状部材の途中に前記伸縮部が形成されていることを特徴とする請求項５記載の携帯端末等の表示面清掃装置。
【請求項７】
前記取付部又は前記移動案内部には本装置を前記携帯端末等に着脱自在に係止する係止部が形成されていることを特徴とする請求項１記載の携帯端末等の表示面清掃装置。
【請求項８】
前記携帯端末等には表示面に沿って略直線状の案内機構が形成され、前記移動案内部が前記案内機構に案内され前記取付部が前記表示面に沿って移動されることを特徴とする請求項１記載の携帯端末等の表示面清掃装置。
【発明の詳細な説明】
【０００１】
【発明が属する技術分野】
本発明は、携帯電話などの携帯端末等の表示面を清掃するための携帯端末等の表示面清掃装置に関する。
【０００２】
【従来の技術】
携帯電話などの携帯端末等は手で握ったり通話のために頬や耳に接触させられることが多いので、皮脂や整髪料などが携帯端末等の表示面（液晶表示面）に付着して汚れることが多い。このように表示面が汚れた場合にはハンカチや衣服により当該表示面を拭って汚れを除去する必要がある。
【０００３】
また、表示面の清掃するための専用の清掃具も考案されている。例えば、絵などをプリントした表地と極細繊維又は超極細繊維からなる裏地との間にスポンジなどの芯材を挿入して周縁部を溶着して形成されたマスコットを釣り紐などにより携帯電話本体の係止孔や携帯ストラップなどに取り付け、裏地により表示面の汚れを除去する清掃具が知られている（実用新案登録第３０８４０５０号、特開２００３−８７２１号参照）。
【０００４】
【発明が解決しようとする課題】
しかしながら、上述のように、ハンカチや衣服では表示面に付着した皮脂などの汚れを完全には除去し難く、さらに、汚れを除去しようする場合にハンカチなどを取り出す必要があり極めて面倒である。
【０００５】
上述した従来の専用の清掃具では、清掃具が釣り紐などにより携帯電話本体や携帯ストラップなどに取り付けられているので、携帯電話などの機種によっては清掃具が表示面に全く届かないか若しくは一部に届かない場合が生ずる。この場合に清掃を行うためには清掃具を携帯電話や携帯ストラップなどから外してから表示面の清掃を行う必要があり、非常に面倒であり実用的ではない。
【０００６】
本発明は、上記事情に鑑みてなされたもので、携帯電話などの携帯端末等の機種によらず、簡単にかつ素早くかつ確実に表示面の汚れを除去することができる携帯端末等の表示面清掃装置を提供することを目的とする。
【０００７】
【課題を解決するための手段】
本発明の請求項１記載の携帯端末等の表示面清掃装置は、携帯端末等の表示面に接触させられる薄型布状の拭き取り部と、当該拭き取り部が裏面側に取り付けられた取付部と、当該取付部に付設され前記拭き取り部を前記表示面に接触させつつ前記取付部を当該表示面に沿って直線的に移動して案内する移動案内部とを備えたことを特徴とする。
【０００８】
このものでは、取付部に取り付けられた拭き取り部を携帯端末等の表示面に接触させて移動案内部により取付部を表示面に対して直線的に移動させ、拭き取り部により表示面に付着した皮脂や整髪料などを拭き取る。このように、拭き取り部を表示面に接触させて直線的に移動させるといった簡単な操作により表示面の清掃を行うことができる。
【０００９】
本発明の請求項２記載の携帯端末等の表示面清掃装置は、前記取付部及び前記移動案内部が前記携帯端末等において表示面が形成された部分に巻き付けられる帯状部材からなることを特徴とする。
【００１０】
このものでは、帯状部材からなる取付部及び移動案内部が携帯端末等において表示面が形成された部分に巻き付けられ、この帯状部材を表示面に沿って直線的に移動させることにより拭き取り部により表示面の清掃を行う。このように、帯状部材が携帯端末等に巻き付けられているので、使用しない場合には携帯端末に保持しておき、使用する場合には帯状部材を直ちに移動させて表示面の清掃を行うことができる。
【００１１】
本発明の請求項３記載の携帯端末等の表示面清掃装置は、前記帯状部材の端末部付近には前記携帯端末等において表示面が形成された部分の太さなどの外周形状に応じて前記帯状部材の巻付径を調整可能に結束する結束部が形成されていることを特徴とする。
【００１２】
このものでは、帯状部材を携帯端末等において表示面が形成された部分に巻き付けた後に結束部によりループ状に結束することができる。結束部は表示面が形成された部分の太さなどの外周形状に応じて巻付径が調整できるので、携帯端末等の種類が異なって外周形状が変わってもある程度の範囲内では一つの表示面清掃装置により対応することができる。結束部によりループ状に形成させて携帯端末等に巻き付けておくことができ、釣り具などの特別の部材などを設けなくても携帯端末等に保持させておくことができる。
【００１３】
本発明の請求項４記載の携帯端末等の表示面清掃装置は、前記帯状部材を前記携帯端末等において表示面が形成された部分に巻き付けた際に前記結束部が前記携帯端末等の外表面に接触しない構造を有していることを特徴とする。
【００１４】
このものでは、帯状部材を携帯端末等における表示面が形成された部分に巻き付けて、表示面を清掃させるためなどに帯状部材を表示面に沿って移動させた際に、結束部が携帯端末等の外表面に接触しないので、携帯端末等の外表面に傷をつけることがない。
【００１５】
本発明の請求項５記載の携帯端末等の表示面清掃装置は、前記携帯端末等において表示部が形成された部分に巻き付けた際に当該部分の太さなどの外周形状に応じて伸縮する伸縮部が前記帯状部材の途中に形成されていることを特徴とする。
【００１６】
このものでは、帯状部材を表示面が形成された部分に巻き付けた際にその太さなどの外周形状に応じて伸縮部が伸び縮みして巻付径が調整され、携帯端末等の種類が異なって形状が変わってもある程度の範囲内では一つの表示面清掃装置により対応することができる。
【００１７】
本発明の請求項６記載の携帯端末等の表示面清掃装置は、前記帯状部材が無端帯状であり、当該帯状部材の途中に前記伸縮部が形成されていることを特徴とする。
【００１８】
このものでは、無端帯状であるので結束部を設ける必要がなく、携帯端末等に取り付ける際に結束部を操作する必要がなく、取り付け操作を簡単に行うことができる。また、帯状部材の伸縮部が伸び縮みして表示面が形成された部分の太さなどの外周形状に応じて巻付径が調整され、携帯端末等の種類が異なって形状が変わってもある程度の範囲内では一つの表示面清掃装置により対応することができる。
【００１９】
本発明の請求項７記載の携帯端末等の表示面清掃装置は、前記取付部又は前記移動案内部には本装置を前記携帯端末等に着脱自在に係止する係止部が形成されていることを特徴とする。
【００２０】
このものでは、携帯端末等の形態によっては、本発明の表示面清掃装置を携帯端末等に取り付けたままにしておくことができない場合があるが、本装置の取付部又は移動案内部に設けた係止部により携帯端末等に着脱自在に取り付け、使用時に係止部から取り外して表示面の清掃に使用することができる。
【００２１】
本請求項８記載の携帯端末等の表示面清掃装置は、前記携帯端末等には表示面に沿って略直線状の案内機構が形成され、前記移動案内部が前記案内機構に案内され前記取付部が前記表示面に沿って案内されることを特徴とする。
【００２２】
このものでは、移動案内部を携帯端末等に形成された略直線状の案内機構に沿って案内して取付部を表示面に沿って直線的に移動させ、取付部の裏面に設けられた拭き取り部により表示面の汚れを拭き取る。携帯端末等に案内機構を形成するので携帯端末等に応じた適切な寸法や形状のものにすることができ、かつ、携帯端末等は表示面清掃機能を持っているので付加価値が高まる。
【００２３】
【発明の実施の形態】
本発明の実施の形態に係る携帯端末等の表示面清掃装置（以下、特別の場合を除き表示面清掃装置と省略する。）について図面を参照して説明する。
【００２４】
（第１の実施の形態）
図１は本発明の第１の実施の形態に係る表示面清掃装置を示す図である。図１（ａ）は表面側から見た図、同（ｂ）は裏面側から見た図、同（ｃ）は側面側から見た図を示す。
【００２５】
本表示面清掃装置は、帯状部材１の裏面に薄型布状の拭き取り部２が縫製などにより取り付けられて概略構成されている。この拭き取り部２を縫製するために使用される糸は導電性を有するものを使用することが好適であり、これにより静電気の発生を防止し拭き取り部２の除電効果により埃の付着を防止できる。
【００２６】
帯状部材１は伸縮が可能ないわゆるストレッチ素材からなる布製であり、周縁を糸などにより縫製してほつれが生じないように処理されている。帯状部材１の端部には、帯状部材１をループ状に丸めた際に結束するためのマジックテープ（登録商標）である結束部品３が縫製又は接着により固定されている。図中の結束部材３は、多数のかぎ状部材の集合体３ａと当該かぎ状に係合する多数のループ状部材の集合体３ｂとからなる。
【００２７】
また、帯状部材１の表面にはロゴマーク（図中では楕円丸中に「ＡＢＣ」なる文字）４がプリント、編み込み、刺繍などにより形成されている。ロゴマーク４の文字列などは一例を示すもので、キャラクター図形と文字列とを表示したり、キャラクター図形のみを表示するようにしてもよい。ロゴマークなどは、本表示面清掃装置の製造販売先を示すものであっても、本表示面清掃装置を配布する会社（例えば携帯電話サービスを提供する会社）を示すものであってもよい。
【００２８】
前記拭き取り部２は、携帯電話などの表示面の横幅よりも少し長くなるような長さとされている。拭き取り部２は、極細繊維を布状に織り上げたもの（例えば、ザウィーナＭｉｎｉｍａｘ（登録商標）やトレーシー（登録商標）として市販されているようなもの）が使用される。
【００２９】
例えば、拭き取り部２を構成する極細繊維としては、０．５デニール以下の超極細繊維が好適であり、特に０．３デニール以下、さらには０．２デニール以下の超極細繊維が最適である。また下限値については．０．０１デニール以上であることが好適である。極細繊維としては、２種又はそれ以上の重合体からなる多層型の複合繊維を起毛又はサンディングなどの機械的手段によって処理して得られた分割型繊維、２種又はそれ以上の重合体からなる海島型の複合繊維から海成分を除去して得られる海島型繊維などが好適なものとして挙げられる。
【００３０】
前記多層型の複合繊維を使用する場合には、まず複合繊維を織編物、不織布とし、これを起毛機などで起毛又はサンディング機でサンディングすることによって表面に極細繊維層を有する基材を得ることができる。また、前記海島型の複合繊維を使用する場合は、まず複合繊維を織編物、不織布とした後、海成分を溶剤などにより除去することによって、又は海成分を除去した後起毛機などで起毛又はサンディング機でサンディングすることによって表面に極細繊維を有する基材を得ることができる。後者の海島繊維を使用して得られた基材としては、不織布、特に合成皮革として使用されている不織布が好適に使用される。
【００３１】
分割型繊維の素材としては、ポリエステル系樹脂、ポリアミド系樹脂、ポリオレフィン系樹脂（ポリエチレン、ポリプロピレン等）、ポリスチレン系樹脂、ビニルアルコール系樹脂（ポリビニルアルコール、エチレン−ビニルアルコール系共重合体等）のうちの２種又はそれ以上の樹脂の組み合わせが挙げられる。また、海島繊維の素材としては、上記と同様の樹脂のうちの２種又はそれ以上の樹脂を海成分又は島成分として使用することができる。このうちポリアミド（島）／ポリスチレン（海）、ポリアミド（島）／ポリオレフィン（海）が好適である。このような極細繊維を使用すると表示面の拭き取り効果に優れ、洗濯による拭き取り効果の低下も極めて少ない。極細繊維中に抗菌剤又は消臭剤を配合するか、または抗菌性繊維又は消臭繊維を含有させることもできる。
【００３２】
本表示面清掃装置の使用方法について図２及び図３により説明する。本表示面清掃装置は図３に示すように、携帯電話Ｔにおいて液晶表示面などの表示面が形成された部分Ｈに表示面側に拭き取り部２が位置するように巻き付け、帯状部材１の端部に形成された結束部品３ａ，３ｂを相互に係合させてループ状に丸めて取り付ける。この際、帯状部材１が表示面が形成された部分Ｈに対して図中上下方向にスライド移動ができるが容易に外れてしまわない程度の若干の緩みを持たせて取り付ける。清掃の必要のない場合（通常時）には帯状部材１は表示面から外れた蝶番部分側の表示面を覆わない位置に退避移動させ配置させておく。
【００３３】
表示面に皮脂や整髪料などの汚れが付着した場合には、表示面側から蝶番部分側に退避して配置されている帯状部材１を表示面に沿って図３の図中上方に移動させる。この際帯状部材１の裏面に取り付けられた拭き取り部２が表示面に軽く接触するように帯状部材１の表側から押えつつ移動させる。ここで、拭き取り部２は前記したように極細繊維から構成されているので、移動に伴って表示面に付着した皮脂や整髪料などが拭き取り部２に吸着されて除去され清掃が行われる。一度の移動で汚れが完全に除去できない場合には上記移動操作を繰り返して綺麗になるまで往復移動を繰り返す。汚れの除去が完了したら蝶番側の通常の位置に戻しておく。
【００３４】
帯状部材１のうち拭き取り部２が裏面側に取り付けられた部分は本発明の取付部を構成し、帯状部材１は全体で本発明の移動案内部を構成する。
【００３５】
（第２の実施の形態）
図４は本発明の第２の実施の形態に係る表示面清掃装置を示す図である。図（ａ）は裏面側から見た図、同（ｂ）は表面側から見た図、同（ｃ）は側面側から見た図を示す。
【００３６】
本表示面清掃装置は、帯状部材１１の裏面に薄型布状の拭き取り部１２が縫製などにより取り付けられて概略構成されている。
【００３７】
帯状部材１１は布製であり好ましくはストレッチ素材であり、周縁を糸などにより縫製してほつれが生じないように処理されている。帯状部材１１の端部には、帯状部材１１をループ状に丸めて結束するための結束部品１３が取り付けられている。結束部品１３は、２本の細長いスリット１３ａ，１３ｂが平行に形成された平板状の部材であり、プラスチック又は金属などの剛性を有する材料により形成されている。図４又は図５に示すように、一方のスリット１３ｂ内に帯状部材１１の端部を差し込んで折り返して、糸１５により縫製して帯状部材１１に取り付けられている。帯状部材１１の表面にはロゴマーク（図中では楕円丸中に「ＡＢＣ」なる文字）がプリント、編み込み、刺繍などにより形成されたプレート１４が接着や縫製などにより固定されている。前記拭き取り部１２としては、上記実施の形態と同様に、極細繊維を布状に織り上げたものが使用され、携帯電話などの表示面の横幅よりも少し長くなるような長さとされている。
【００３８】
本表示面清掃装置の使用方法について図５及び図６により説明する。本表示面清掃装置は、第１の実施の形態と同様に、図６に示すように、携帯電話Ｔにおいて液晶などの表示面が形成された部分Ｈに表示面側に拭き取り部１２が位置するように巻き付け、帯状部材１１の端部に形成された結束部品１３により結束してループ状に丸めて取り付ける。この際、帯状部材１１が表示面が形成された部分Ｈに沿ってスライド移動ができるが容易に外れてしまわない程度の若干の緩みを持たせて結束する。清掃の必要のない場合には帯状部材１１は蝶番部分側であって表示面を覆わない位置に移動させて配置させておく。
【００３９】
結束部品１３による結束方法を、図５を参照して説明する。すなわち、表示面が形成された部分Ｈの周りに帯状部材１１を巻き付け、結束部品１３が取り付けられていない側の端部を図中下側から結束部品１３のスリット１３ｂ内を通し、さらに図中上方からスリット１３ａ内に挿入する。これにより帯状部材１１はループ状に丸められる。結束部品１３の裏側（表示面が形成された部分Ｈ側）には帯状部材１１が介在し、結束部品１３は表示面が形成された部分Ｈの外表面に接触することが無い。このため、清掃のために帯状部材１をスライド移動させても携帯電話の外表面に傷を付けることがない。
【００４０】
表示面に皮脂や整髪料などの汚れが付着した場合には、帯状部材１１の裏面に取り付けられた拭き取り部１２が表示面に接触するように帯状部材１１の表側から押えつつ表示面に沿って移動させる。拭き取り部１２は前記したように極細繊維から構成されているので、移動に伴って表示面に付着した皮脂や整髪料などが拭き取り部１２に吸着されて除去され清掃が行われる。汚れの除去が完了したら蝶番側の通常の位置に戻しておく。
【００４１】
（第３の実施の形態）
図７は本発明の第３の実施の形態に係る表示面清掃装置を示す図である。図７（ａ）は表面側から見た図、同（ｂ）は裏面側から見た図、同（ｃ）は側面側から見た図を示す。
【００４２】
本表示面清掃装置は、帯状部材２１の裏面に薄型布状の拭き取り部２２が縫製などにより取り付けられて概略構成されている。帯状部材２１はいわゆるストレッチ素材からなる布製であり、周縁を糸などにより縫製してある。帯状部材２１の端部には、帯状部材２１をループ状に丸めて結束するための結束部品２３が固定されている。結束部品２３は、ファスナー部材２３ａ，２３ｂからなり、ファスナー部材２３ａは中央部に凹部が形成されたボタンであり所定の間隔で複数個（図中では３個）固定されている。ファスナー部材２３ｂは前記ファスナー部材２３ａであるボタンの凹部に弾性的に着脱自在に嵌め込まれるボタンである。帯状部材２１の端部は折り返されて折返部２１ａ，２１ｂが形成され、これらの折返部によりファスナー部材２３ａ，２３ｂの帯状部材２１への取付部の背面を覆っている。帯状部材２１の表面にはロゴマーク（図中では楕円丸中に「ＡＢＣ」なる文字）２４がプリント、編み込み、刺繍などにより形成されている。前記拭き取り部２２は極細繊維を布状に織り上げたものであり、携帯電話などの表示面の横幅よりも少し長くなるような長さとされている。
【００４３】
本表示面清掃装置の使用方法は、図８に示すように、本表示面清掃装置を携帯電話Ｔにおいて液晶などの表示面が形成された部分Ｈに表示面側に拭き取り部２２が位置するように巻き付けて帯状部材２１の端部に形成されたファスナー部材２３ａ，２３ｂを相互に係合させてループ状に丸めて取り付ける。この際、帯状部材２１が表示面が形成された部分Ｈに対して図中上下方向にスライド移動ができるが容易に外れてしまわない程度の若干の緩みを持つようなファスナー部材２３ａを選択して結束して取り付ける。多少きつく結束されても、帯状部材２１にはストレッチ素材を用いているので、弾性的に巻き付きスライド移動は可能である。清掃の必要のない通常時には帯状部材２１を蝶番部分側であって表示面を覆わない位置に移動させておく。
【００４４】
表示面に皮脂や整髪料などの汚れが付着した場合には、帯状部材２１の裏面に取り付けられた拭き取り部２２が表示面に接触するように帯状部材２１の表側から押えつつ表示面に沿って移動させる。移動に伴って表示面に付着した皮脂や整髪料などが拭き取り部２２に吸着されて除去され清掃が行われる。汚れの除去が完了したら蝶番側の通常の位置に戻しておく。
【００４５】
（第４の実施の形態）
図９は本発明の第４の実施の形態に係る表示面清掃装置を示す図である。本表示面清掃装置は、無端帯状の帯状部材３１の裏面に薄型布状の拭き取り部３２が縫製などにより取り付けられて概略構成されている。帯状部材３１は布製であり、途中にゴムが縫い込まれて伸縮できる伸縮部３６が形成されている。帯状部材３１に形成された伸縮部３６の表面には、伸縮部３６が延びた状態で所望の文字列（図中では「ＡＢＣ」なる文字）が表示されるように、ロゴマーク３４が編み込みや刺繍などにより形成されている。拭き取り部３２は極細繊維を布状に織り上げたものであり、携帯電話などの表示面の横幅よりも少し長くなるような長さとされている。
【００４６】
図１０に示すように、本表示面清掃装置を、携帯電話Ｔにおいて液晶などの表示面が形成された部分Ｈに表示面側に拭き取り部３２が位置するように巻き付ける。伸縮部３６が適度に延びて表示面に沿ってスライド移動ができる程度に弾性的に取り付けられる。清掃の必要のない場合には帯状部材３１を蝶番部分側であって表示面を覆わない位置に移動させて配置させておく。
【００４７】
表示面に付着した皮脂や整髪料などの汚れを清掃する場合には、帯状部材３１を、その裏面に取り付けられた拭き取り部３２が表示面に接触するように帯状部材２１の表側から押えつつ移動させる。移動に伴って表示面に付着した皮脂や整髪料などが拭き取り部３２に吸着されて除去され清掃が行われる。汚れの除去が完了したら蝶番側の通常の位置に戻しておく。
【００４８】
（第５の実施の形態）
図１１は本発明の第５の実施の形態に係る表示面清掃装置を示す図である。本表示面清掃装置は、帯状部材４１の裏面に薄型布状の拭き取り部４２が縫製などにより取り付けられて概略構成されている。帯状部材４１は布製であり、周縁を糸などにより縫製してある。帯状部材４１の端部には、帯状部材４１をループ状に丸めて結束するための円形環状の結束部品４３が固定されている。結束部品４３は２個のリング４３ａ，４３ｂからなり、これらのリング４３ａ，４３ｂ内に帯状部材４１の端部を折り返して通した後端部付近を糸４５などにより縫い合わせて帯状部材４１に取り付けられている。拭き取り部４２は極細繊維を布状に織り上げたものであり、携帯電話などの表示面の横幅よりも少し長くなるような長さとされている。
【００４９】
図１２に示すように、本表示面清掃装置を、携帯電話Ｔにおいて液晶などの表示面が形成された部分Ｈに表示面側に拭き取り部４２が位置するように巻き付け、帯状部材４１の端部をリング４３ａ内を通し、さらにリング４３ｂ内を通して結束する。この際、伸縮部４６が適度に延びて表示面に沿ってスライド移動ができる程度の緊張状態で取り付けられる。清掃の必要のない場合には帯状部材４１を蝶番部分側であって表示面を覆わない位置に移動させて配置させておく。
【００５０】
表示面に付着した皮脂や整髪料などの汚れを清掃する場合には、帯状部材４１を拭き取り部４２が表示面に接触するように帯状部材４１の表側から押えつつ移動させて表示面に付着した皮脂や整髪料などを吸着除去する。汚れの除去が完了したら蝶番側の通常の位置に戻しておく。
【００５１】
なお、結束部品４３が携帯電話の外周面に接触して移動時に傷を付けるおそれがある場合には、帯状部材４２に結束部品４３の裏面側に配置され結束部品４３と携帯電話との接触を防止する舌片を縫製などにより取り付けて形成することが好ましい。
【００５２】
（第６の実施の形態）
図１３に本発明の第６の実施の形態に係る表示面清掃装置を示す。本表示面清掃装置は帯状部材５１の途中にデザインプレート５４を取り付けたものである。デザインプレート５４は、携帯電話などのおもて面に位置するように取り付けられる。図示したデザインプレート５４はハート形のものであるが、星型、その他の形状のものを採用することができる。また、デザインプレート５４はホログラム処理を施したり蛍光塗料で塗装したりしてそれ自体で意匠性を持たせたものでもよいし、裏面に接着剤が付与された小さな写真（いわゆるプリクラシール）が貼り付けられるようにしてもよい。帯状部材５１に取り付けられたデザインプレート５４により意匠性や趣味性を高めることができる。
【００５３】
（第７の実施の形態）
図１４に本発明の第７の実施の形態に係る表示面清掃装置を示す。図１４（ａ）は本表示面清掃装置を組み立てる前の状態を示す図であり、同（ｂ）は組み立て後の状態を示す図である。
【００５４】
本表示面清掃装置は、帯状部材６１の裏面に薄型布状の拭き取り部６２が縫製などにより取り付けられて概略構成されている。帯状部材６１はストレッチ素材の布製であり、周縁を糸などにより縫製してある。帯状部材６１の端部には、帯状部材４１をループ状に丸めて結束するための円形環状の結束部品６３が固定されている。結束部品６３はリング６３ａ，６３ｂ内に帯状部材６１の端部を通して糸６５などにより縫製して取り付けられている。
【００５５】
帯状部材６１の他端部には、本表示面清掃装置を携帯電話などに取り付けるための係止部品６７が取り付けられている。係止部品６７は、帯状部材６１の他端部に固定される弾性変形部品６７ａと、この弾性変形部品６７ａが挿入されて係合させられる挿入部品６７ｂとからなる。弾性変形部品６７ａには弾性変形部６７ｄが一体に成形され、被挿入部品６７ｂには弾性変形部６７ｄが弾性変形しつつ挿入させられる貫通孔６７ｅが形成されるとともに携帯電話に取り付けるための釣り紐６７ｃが固定されている。
【００５６】
図１４（ｂ）に示すように、結束部品６７が取り付けられた帯状部材６１の端部を結束部品６３のリング６３ａ内を通し、リング６３ｂ内を通して、携帯電話Ｔの表示面が形成された部分Ｈに挿入されるループ状の部分６１ａを形成する。
【００５７】
表示面に付着した皮脂や整髪料などの汚れを除去するには、係止部品６７の被挿入部品６７ｂから弾性変形部品６７ａを弾性変形部６７ｄを左右から押して変形させて取り外し、帯状部材６１により形成されたループ状の部分６１ａを携帯電話Ｔの表示面が形成された部分Ｈに裏面に取り付けられた拭き取り部６２が表示面に接触するように挿入して、上述の実施の形態と同様に、帯状部材６１の表側から押えつつ移動させ、表示面に付着した皮脂や整髪料などを拭き取り部６２により吸着して除去し清掃を行う。汚れの除去が完了したらループ状の部分６１ａを携帯電話から外して被挿入部品６７ｂに弾性変形部品６７ａを挿入することにより釣り紐６７ｃを介して携帯電話に係止する。
【００５８】
上記実施の形態では蝶番により開閉するタイプの携帯電話の場合には帯状部材は携帯電話の部材に挟まれて保持されるので外れにくいが、図１７に示すように蝶番による開閉式ではないいわゆるバー形携帯電話Ｂに帯状部材を取り付けた場合にはバー形携帯電話Ｂをポケットなどに収納したり取り出したりした際に表示面清掃装置がずれて外れてしまうおそれがある。このようなタイプのバー形携帯電話Ｂにおいては本実施の形態に係る表示面清掃装置は係止部材６７によりバー形携帯電話に着脱自在に取り付けることができるのでずれて外れることがないので非常に好適である。
【００５９】
（第８の実施の形態）
図１９及び図２０に本発明の第８の実施の形態に係る表示面清掃装置を示す。本表示面清掃装置は、図１９に示すように、プラスチックなどのある程度の剛性を有する板状の取付部８１の両端部にほぼ直角に板状の移動案内部８３を突出して形成し、取付部８１の裏面に薄板布状の拭き取り部８２を接着や溶着により取り付けたものである。取付部８１は図中上方から押圧すると多少弾性変形できるような厚さで形成されている。
【００６０】
図２０に示すように、携帯電話の部分Ｈに設けられた液晶パネル（表示面）８８の両側に２本の凹溝８９が形成され、この凹溝８９内に前記移動案内部８３を挿入し、取付部８１を図中上方から押圧して多少撓ませて拭き取り部８２を液晶パネル８８の表面に接触させつつ移動させ、表示面８８の表面に付着した皮脂や整髪料などの汚れを拭き取る。清掃機能を携帯電話に設けるようにしているので、機器に適した形状にすることができるとともに、機器の付加価値を高めることができる。
【００６１】
（その他の実施の形態）
上記実施の形態に係る表示面清掃装置は、携帯電話に使用した例を示したが、図１５〜図１８に示すような他の機器に使用するようにしてもよい。図１５に示すものは、携帯情報端末（例えばザウルス（登録商標））Ｐの表示面に帯状部材７１からなる表示面清掃装置を取り付けた例を示す。図１６に示すものは、コンパクトゲーム機Ｇの表示面に帯状部材７２からなる表示面清掃装置を取り付けた例を示す。図１７に示すものは、バー形携帯電話Ｂの表示面に帯状部材７３からなる表示面清掃装置を取り付けた例を示す。図１８に示すものは、ビデオカメラＭの液晶パネルＥに帯状部材７４からなる表示面清掃装置を取り付けた例を示す。このように、本発明における「携帯端末」という用語は、広く携帯できる電気機器一般を示す用語である。
【００６２】
上記実施の形態では、帯状部材の素材として伸縮性を有するいわゆるストレッチ素材を使用する例を示したが、伸縮性の無い布地やプラスチックなどの帯状部材を用いることができる。この場合には、携帯端末の外周形状に応じて巻付径を調節できる機構を設けることが好ましい。
【００６３】
上記実施の形態では拭き取り部は帯状部材に縫製などにより取り付けるようにしているが、拭き取り部を構成する極細繊維の布の裏に接着剤を通さないコーティング処理を施して帯状部材に拭き取り部を接着剤や溶着や融着により取り付けるようにしてもよい。
【００６４】
【発明の効果】
以上説明したように、本発明の携帯端末等の表示面清掃装置によれば、以下のような効果を奏する。
【００６５】
（１）取付部に取り付けられた拭き取り部を携帯端末等の表示面に接触させて移動案内部により取付部を表示面に対して直線的に移動させ、拭き取り部により表示面に付着した皮脂や整髪料などを拭き取ることができる。
【００６６】
（２）拭き取り部を表示面に接触させて直線的に移動させるといった簡単な操作により表示面の清掃を行うことができる。
【００６７】
（３）帯状部材からなる取付部及び移動案内部は携帯端末等の表示面が形成された部分に巻き付けられ、使用しない場合には携帯端末等に保持しておき、使用する場合には携帯端末等に巻き付けられた帯状部材を直ちに表示面に沿って移動させて表示面の清掃を行うことができる。
【００６８】
（４）帯状部材を携帯端末等において表示面が形成された部分に巻き付けて結束部によりループ状に結束でき、結束部により表示面が形成された部分の太さなどの外周形状に応じて巻付径が調整でき、携帯端末等の種類が異なって外周形状が変わってもある程度の範囲内では一つの表示面清掃装置により対応することができる。
【００６９】
（５）結束部によりループ状に形成させて携帯端末等に巻き付けておくことができ、釣り具などの特別の部材などを設けなくても携帯端末等に保持させておくことができる。
【００７０】
（６）帯状部材を表示面に沿って移動させた際に、結束部が携帯端末等の外表面に接触していないものでは、携帯端末等の外表面に傷をつけることが防止できる。
【００７１】
（７）帯状部材を巻き付けた際に伸縮部が伸び縮みして表示面が形成された部分の太さなどの外周形状に応じて巻付径が自動的に調整され、携帯端末等の種類が異なって形状が変わってもある程度の範囲内では一つの表示面清掃装置により対応することができる。
【００７２】
（８）無端帯状のものでは結束部を設ける必要がなく携帯端末等に取り付ける際に結束部を操作する必要がなく取り付け操作が簡単にでき、帯状部材の伸縮部が伸び縮みして表示面が形成された部分の太さなどの外周形状に応じて巻付径が自動的に調整され、携帯端末等の種類が異なって形状が変わってもある程度の範囲内では一つの表示面清掃装置により対応することができる。
【００７３】
（９）携帯端末等の形態によっては、本発明の表示面清掃装置を携帯端末等に取り付けたままにしておくことができない場合があるが、取付部又は移動案内部に設けた係止部により携帯端末等に着脱自在に取り付けるようにしたものでは、使用時にのみ係止部から取り外して使用できる。
【００７４】
（１０）表示面清掃装置の移動案内部を携帯端末等に形成された略直線状の案内機構に従って案内して表示面に沿って直線的に移動させることにより、取付部の裏面に設けられた拭き取り部により表示面の汚れを拭き取ることができ、しかも携帯端末等に形成された案内機構に取り付けるので携帯端末等に応じた適切な寸法や形状にすることができ、さらに携帯端末等の付加価値を高めることができる。
【図面の簡単な説明】
【図１】本発明の第１の実施の形態に係る表示面清掃装置を示す図である。
【図２】図１の表示面清掃装置の使用状態を示す図である
【図３】図１の表示面清掃装置の使用状態を示す図である
【図４】本発明の第２の実施の形態に係る表示面清掃装置を示す図である。
【図５】図４の表示面清掃装置の使用状態を示す図である
【図６】図４の表示面清掃装置の使用状態を示す図である
【図７】本発明の第３の実施の形態に係る表示面清掃装置を示す図である。
【図８】図７の表示面清掃装置の使用状態を示す図である
【図９】本発明の第４の実施の形態に係る表示面清掃装置を示す図である。
【図１０】図９の表示面清掃装置の使用状態を示す図である
【図１１】本発明の第５の実施の形態に係る表示面清掃装置を示す図である。
【図１２】図１１の表示面清掃装置の使用状態を示す図である
【図１３】本発明の第６の実施の形態に係る表示面清掃装置を示す図である。
【図１４】本発明の第７の実施の形態に係る表示面清掃装置を示す図である。
【図１５】本発明の他の実施の形態に係る表示面清掃装置の使用状態を示す図である。
【図１６】本発明の他の実施の形態に係る表示面清掃装置の使用状態を示す図である。
【図１７】本発明の他の実施の形態に係る表示面清掃装置の使用状態を示す図である。
【図１８】本発明の他の実施の形態に係る表示面清掃装置の使用状態を示す図である。
【図１９】本発明の第７の実施の形態に係る表示面清掃装置を示す図である。
【図２０】図１９の表示面清掃装置の使用状態を示す図である。
【符号の説明】
１，１１，２１，３１，４１，５１，６１，７１，７２，７３，７４    帯状部材
２，１２，２２，３２，４２，５２，６２，８２    拭き取り部
３，１３，２３，４３，６３    結束部品（結束部）
６７    係止部品（係止部）
８１    取付部
８３    移動案内部
８８    表示面
８９    凹溝（案内機構）
【図１】
2004364066.tif 000003
【図２】
2004364066.tif 000004
【図３】
2004364066.tif 000005
【図４】
2004364066.tif 000006
【図５】
2004364066.tif 000007
【図６】
2004364066.tif 000008
【図７】
2004364066.tif 000009
【図８】
2004364066.tif 000010
【図９】
2004364066.tif 000011
【図１０】
2004364066.tif 000012
【図１１】
2004364066.tif 000013
【図１２】
2004364066.tif 000014
【図１３】
2004364066.tif 000015
【図１４】
2004364066.tif 000016
【図１５】
2004364066.tif 000017
【図１６】
2004364066.tif 000018
【図１７】
2004364066.tif 000019
【図１８】
2004364066.tif 000020
【図１９】
2004364066.tif 000021
【図２０】
2004364066.tif 000022